(57)【要約】【課題】印字ヘッドの寿命を短縮することなく、複写伝票の最下部に位置する紙への印字を適切に行う。【解決手段】単票や通帳等の一般帳票と複写伝票を対象として印字を行なう帳票プリンタ１において、単票を含む一般帳票への高速印字に適した一般帳票用の制御パラメータと、高速印字の際と同等の叩打力を保持した状態でワイヤの押し込み時間を冗長する複写伝票用の制御パラメータとを不揮発性メモリ１２に保存しておき、帳票搬送路３に挿入された帳票５が一般帳票であるのか複写伝票であるのかに応じて一般帳票用の制御パラメータもしくは複写伝票用の制御パラメータの何れかを選択して印字ヘッド駆動回路１１に設定する。叩打力を冗長せずに押し込み時間を冗長することで印字ヘッド４の寿命を短縮することなく複写伝票の最下部に位置する紙への印字を適切に行えるようにする。【選択図】図１
2008296392.tif 000002
【特許請求の範囲】
【請求項１】
帳票搬送路の一側に設けられたドットインパクト式の印字ヘッドと、前記印字ヘッドを保持して帳票搬送路内の帳票と平行な平面内で帳票の搬送方向と直交する方向に移動するキャリアと、予め設定された制御パラメータに従って前記印字ヘッドにおけるワイヤの駆動態様を電気的に制御する印字ヘッド制御部と、前記帳票搬送路を挟んで前記キャリアに対向する位置で帳票を支えるプラテンと、前記帳票搬送路内で帳票に送りを掛ける帳票搬送手段とを備えた帳票プリンタにおいて、
単票を含む一般帳票への高速印字に適した一般帳票用の制御パラメータと，一般帳票への印字の際と同等の叩打力を保持した状態でワイヤの押し込み時間を冗長する複写伝票用の制御パラメータとを記憶したパラメータ記憶手段と、
前記帳票搬送路に挿入された帳票が一般帳票であるのか複写伝票であるのかを判定する帳票種別判定手段と、
前記帳票種別判定手段により前記帳票が一般帳票であると判定された場合には一般帳票用の制御パラメータを駆動条件として前記印字ヘッド制御部に設定する一方、前記帳票種別判定手段により前記帳票が複写伝票であると判定された場合には複写伝票用の制御パラメータを駆動条件として前記印字ヘッド制御部に設定するパラメータ選択手段とを設けたことを特徴とする帳票プリンタ。
【請求項２】
前記帳票種別判定手段は、前記キャリアと前記プラテンとの間に帳票が位置した状態で前記プラテンを前記キャリアに接近する方向に一定の力で押圧するプラテン押圧手段と、前記プラテン押圧手段を作動させた状態で前記キャリアと前記プラテンとの間の離間距離を測定する厚さ測定手段と、前記厚さ測定手段の測定結果に基いて前記帳票が一般帳票であるのか複写伝票であるのかを特定する種別特定手段とによって構成されていることを特徴とする請求項１記載の帳票プリンタ。
【請求項３】
前記帳票種別判定手段は、更に、前記帳票搬送手段を駆動制御して帳票の搬送方向において挿入された帳票の前半部分を前記キャリアと前記プラテンとの間に位置決めした状態で前記プラテン押圧手段および厚さ測定手段を作動させて測定結果を一時記憶する第一測定実行手段と、前記帳票搬送手段を駆動制御して前記挿入された帳票の後半部分を前記キャリアと前記プラテンとの間に位置決めした状態で前記プラテン押圧手段および厚さ測定手段を作動させて測定結果を一時記憶する第二測定実行手段を備え、
前記種別特定手段は、前記第一測定実行手段による測定結果と前記第二測定実行手段による測定結果の差分が予め設定された段差判定値の範囲内にあり、かつ、前記第一測定実行手段もしくは前記第二測定実行手段による測定結果が帳票の一種として使用される通帳の折り畳み時の厚みの１／２倍量に匹敵する値と異なり、同時に、前記第一測定実行手段もしくは前記第二測定実行手段による測定結果が予め設定された単票判定値を超えている場合に限って前記帳票が複写伝票であると特定するように構成されていることを特徴とする請求項２記載の帳票プリンタ。
【請求項４】
前記種別特定手段は、前記第一測定実行手段による測定結果が予め設定された通帳用自明判定値を超える場合と前記第一測定実行手段による測定結果が予め設定された単票用自明判定値に満たない場合に前記帳票が一般帳票であると直ちに判定して前記第二測定実行手段の作動を非実行とする判定処理高速化手段を備えていることを特徴とする請求項３記載の帳票プリンタ。
【請求項５】
前記プラテン押圧手段は、前記プラテンの移動方向を規制するプラテンガイドと、前記プラテンと平行に配置されたカムシャフトに設けられ前記プラテンもしくはプラテンと実質的に一体の構成部材と摺接して其の回転量に応じて前記プラテンを前記キャリアに向けて移動させるプラテン昇降カムと、前記プラテン昇降カムの駆動源を構成するモータと、前記モータから前記プラテン昇降カムに至る動力伝達系路上に位置して前記プラテン昇降カムの駆動トルクを機械的に制限するトルクリミッタによって構成され、
前記厚さ測定手段は、前記プラテン昇降カムの回転量を検知する回転センサと、前記回転センサからの出力に基いて前記キャリアと前記プラテンとの間の離間距離を求める回転量・直線距離変換手段によって構成されていることを特徴とする請求項２，請求項３または請求項４記載の帳票プリンタ。
【請求項６】
前記プラテン押圧手段は、前記プラテンの移動方向を規制するプラテンガイドと、前記プラテンと平行に配置されたカムシャフトに設けられ前記プラテンもしくはプラテンと実質的に一体の構成部材と摺接して其の回転量に応じて前記プラテンを前記キャリアに向けて移動させるプラテン昇降カムと、前記プラテン昇降カムの駆動源を構成するモータと、前記プラテンと前記帳票と前記キャリアとの当接を検知して前記モータの駆動を即時停止させる信号を出力する帳票接触検知センサによって構成され、
前記厚さ測定手段は、前記プラテン昇降カムの回転量を検知する回転センサと、前記回転センサからの出力に基いて前記キャリアと前記プラテンとの間の離間距離を求める回転量・直線距離変換手段によって構成されていることを特徴とする請求項２，請求項３または請求項４記載の帳票プリンタ。
【請求項７】
前記プラテン押圧手段は、前記プラテンの移動方向を規制するプラテンガイドと、前記プラテンと平行に配置されたカムシャフトに設けられ前記プラテンもしくはプラテンと実質的に一体の構成部材と摺接して其の回転量に応じて前記プラテンを前記キャリアに向けて移動させるプラテン昇降カムと、前記プラテン昇降カムの駆動源を構成するモータと、前記モータからカムシャフトに伝達される駆動力を制限するトルクリミッタによって構成され、
前記厚さ測定手段は、前記プラテン昇降カムの回転量を検知する回転センサと、前記回転センサからの出力に基いて前記キャリアと前記プラテンとの間の離間距離を求める回転量・直線距離変換手段によって構成されていることを特徴とする請求項２，請求項３または請求項４記載の帳票プリンタ。
【請求項８】
前記帳票種別判定手段は、帳票プリンタに接続した上位装置から入力される媒体種別情報に基いて前記帳票が一般帳票であるのか複写伝票であるのかを判定するように構成されていることを特徴とする請求項１記載の帳票プリンタ。
【請求項９】
ドットインパクト式の印字ヘッドを用いて複写伝票および単票を含む一般帳票への印字を行なう帳票プリンタの印字品位改善方法であって、
複写伝票への印字の際に、単票を含む一般帳票への印字の際と同等の叩打力を保持してワイヤの押し込み時間を冗長するようにしたことを特徴とする帳票プリンタの印字品位改善方法。
【請求項１０】
ドットインパクト式の印字ヘッドを用いて複写伝票および単票を含む一般帳票への印字を行なう帳票プリンタの印字品位改善方法であって、
前記印字ヘッドを保持するキャリアと帳票搬送路を挟んで前記キャリアに対向する位置で帳票を支えるプラテンとの間に帳票を挟み、前記プラテンを前記キャリアに接近する方向に一定の力で押圧した状態で前記キャリアと前記プラテンとの間の離間距離を測定し、
測定された離間距離に基いて前記帳票が一般帳票であるのか複写伝票であるのかを判定し、
複写伝票への印字の際に、単票を含む一般帳票への印字の際と同等の叩打力を保持してワイヤの押し込み時間を冗長するようにしたことを特徴とする帳票プリンタの印字品位改善方法。
【請求項１１】
ドットインパクト式の印字ヘッドを用いて複写伝票および単票を含む一般帳票への印字を行なう帳票プリンタの印字品位改善方法であって、
前記帳票プリンタに接続した上位装置から入力される媒体種別情報に基いて前記帳票が一般帳票であるのか複写伝票であるのかを判定し、
複写伝票への印字の際に、単票を含む一般帳票への印字の際と同等の叩打力を保持してワイヤの押し込み時間を冗長するようにしたことを特徴とする帳票プリンタの印字品位改善方法。
【発明の詳細な説明】
【技術分野】
【０００１】
本発明は、帳票プリンタおよび帳票プリンタの印字品位改善方法の改良に関する。
【背景技術】
【０００２】
従来、金融機関等で使われる帳票プリンタにおいては、帳票搬送路に挿入された帳票の種類判別を行うものがあり、その判別は、帳票の幅，厚さ，磁気ストライプの有無などによって行っている。
例えば、特許文献１に開示される帳票処理装置では、挿入された帳票の幅，厚さ，磁気ストライプの有無によって帳票種別を判別しており、この帳票処理装置の厚さ検知機構は、図１３に示されるように、帳票１０４の表面と当接して帳票１０４の厚さＸに応じて上下動する検知用ローラ１００と、検知用ローラ１００の上下移動量に対応した厚さ検知信号を発生する検知信号発生部１０１と、検知信号発生部１０１に含まれ、初期位置からの回転角度θに対応する電圧を厚さ検知信号として発する回動部１０２と、先端に検知用ローラ１００が取り付けられ、検知用ローラ１００の上下移動量に応じて回動部１０２を回転させるアーム１０３によって構成される。
この厚さ検知機構は、帳票が到来してくると帳票１０４の厚み分だけ検知用ローラ１００が浮上し、回動部１０２が角度θだけ回動する。このとき、検知信号発生部１０１からは回転角度θに対応した厚さ検知信号が発生して帳票１０４の厚さを検出する。
しかし、金融機関等の店舗に設置された帳票処理装置は、その稼動に伴って、搬送によって帳票が削られて生じる紙粉や伝票とじ部の糊のカス，インクリボンが削れて生じるリボンカス，冷却ファンの気流によって外部から進入してくる設置環境中の浮遊ゴミなどによって其の内部が汚染される。これらのゴミは、粘着成分があったり、帳票処理装置内部の油分と混合することによって、帳票処理装置内部のあらゆる部分に定着する。当然、帳票を搬送する帳票搬送ローラにも付着して帳票の搬送ミスや帳票停止位置の誤差が大きくなる障害の原因となる。
これと同様に、検知用ローラ１００にもゴミが付着するが、検知用ローラ１００や帳票搬送ローラは帳票の移動に伴って自転するため、帳票と擦れ合うことがない。そのため、保守時に清掃しない限り、検知用ローラ１００や帳票搬送ローラの表面に付着したゴミを排除することは難しい。よって、検知信号発生部１０１から出力される厚さ検知信号には、ゴミの厚さが含まれ、正確な帳票の厚さを検知することが困難である。
【０００３】
また、帳票プリンタにおける印字品位を改善するものとしては特許文献２に開示される通帳伝票プリンタが知られている。その構成について図１４に示す。この通帳伝票プリンタは、挿入された帳票から反射センサ１０６，磁気ヘッド１０７，透過センサ１０８を介してデータを収集し、記憶部１１２に記憶されたフォーマットと比較することで媒体識別部１１０が帳票の種別を判定し、帳票が通帳であると判定されると、そのページマークリード結果によって通帳の印字ページの厚さ即ち印字対象となる見開きページと其の下部に重合されている他のページの厚みの総和を推定し、印字ページが厚いと判断した場合に、主制御部１１１からの指令で印字コントロール部１０９の電気的ドライブ条件を変え、印字ヘッド１０５の印字圧力を上げることにより印字品位を改善しようとしたものである。
一般的に通帳の厚いページは、１０ページ程度の厚さがあり、ページとページの間が密着した状態でないため、通帳最上面の印字対象ページがフカフカした状態となっている。このため、印字ヘッド１０５のワイヤがインクリボンのインクをページ上に均一に転写できず、濃いドットと薄いドットが混在することで印字品位が悪くなる。
この不都合を解消すべく、特許文献２記載の通帳伝票プリンタでは、印字ヘッド１０５の圧力を上げて薄いドットをなくすことで印字品位を改善している。
しかし、近年、プリンタの処理速度の向上を目的として、印字ヘッドの駆動周波数が高くなっているため、通帳の厚いページのみではなく、複写伝票の最下部に位置する紙への転写カスレが問題になっている。通帳の厚いページの印字品質の劣化は、インクリボンからのインク転写が弱いことが原因であるため、印字圧力の変更で改善することができるが、複写伝票の最下部に位置する紙に生じる転写カスレは、インクリボンからのインク転写の問題ではないため、単純に印字圧力を上げることによって改善することは困難である。また、印字圧力を上げると、印字ヘッドのワイヤの負荷応力が増え、ワイヤの先端の磨耗やワイヤ折れによって印字ヘッド寿命が短縮するといった弊害も生じる。
【０００４】
【特許文献１】特開２００３−５８９３１号公報
【特許文献２】特開昭６３−２６４３８２号公報
【発明の開示】
【発明が解決しようとする課題】
【０００５】
そこで、本発明の目的は、印字ヘッドの寿命を短縮することなく、複写伝票の最下部に位置する紙への印字を適切に行うことのできる帳票プリンタおよび帳票プリンタの印字品位改善方法を提供することにある。
【課題を解決するための手段】
【０００６】
本発明の帳票プリンタは、帳票搬送路の一側に設けられたドットインパクト式の印字ヘッドと、前記印字ヘッドを保持して帳票搬送路内の帳票と平行な平面内で帳票の搬送方向と直交する方向に移動するキャリアと、予め設定された制御パラメータに従って前記印字ヘッドにおけるワイヤの駆動態様を電気的に制御する印字ヘッド制御部と、前記帳票搬送路を挟んで前記キャリアに対向する位置で帳票を支えるプラテンと、前記帳票搬送路内で帳票に送りを掛ける帳票搬送手段とを備えた帳票プリンタであり、前記目的を達成するため、特に、
単票を含む一般帳票への高速印字に適した一般帳票用の制御パラメータと，一般帳票への印字の際と同等の叩打力を保持した状態でワイヤの押し込み時間を冗長する複写伝票用の制御パラメータとを記憶したパラメータ記憶手段と、
前記帳票搬送路に挿入された帳票が一般帳票であるのか複写伝票であるのかを判定する帳票種別判定手段と、
前記帳票種別判定手段により前記帳票が一般帳票であると判定された場合には一般帳票用の制御パラメータを駆動条件として前記印字ヘッド制御部に設定する一方、前記帳票種別判定手段により前記帳票が複写伝票であると判定された場合には複写伝票用の制御パラメータを駆動条件として前記印字ヘッド制御部に設定するパラメータ選択手段とを設けたことを特徴とする構成を有する。
【０００７】
また、本発明の印字品位改善方法は、前記と同様の目的を達成するため、ドットインパクト式の印字ヘッドを用いて複写伝票および単票を含む一般帳票への印字を行なう帳票プリンタの印字品位改善方法において、
複写伝票への印字の際に、単票を含む一般帳票への印字の際と同等の叩打力を保持してワイヤの押し込み時間を冗長するようにしたことを特徴とする構成を有する。
【発明の効果】
【０００８】
本発明の帳票プリンタおよび帳票プリンタの印字品位改善方法は、複写伝票への印字に際して単票を含む一般帳票への印字の際と同等の叩打力を保持してワイヤの押し込み時間のみを冗長するようにしたので、印字ヘッドの寿命を短縮することなく、複写伝票の最下部に位置する紙への印字を適切に行うことができる。
また、複写伝票への印字に際してワイヤに作用する負荷が増大することもないので、印字ヘッドの耐久性が向上する。
【発明を実施するための最良の形態】
【０００９】
次に、図面を参照して本発明の印字品位改善方法を適用した帳票プリンタの実施例について具体的に説明する。
【００１０】
図１は本発明の印字品位改善方法を適用した一実施例の帳票プリンタ１の主要部の機械的な構成について帳票の搬送方向に沿った視点で簡略化して示した正面図、また、図２は同帳票プリンタ１に内蔵されたプリンタ制御装置２の構成について簡略化して示したブロック図である。
【００１１】
この実施例の帳票プリンタ１は、図１に示されるように、帳票搬送路３の一側に設けられたドットインパクト式の印字ヘッド４と、印字ヘッド４を保持して帳票搬送路３内の帳票５と平行な平面内で帳票５の搬送方向と直交する方向つまり図１中の左右方向に移動するキャリア６、および、帳票搬送路３を挟んでキャリア６に対向する位置で帳票５を支えるプラテン７を備える。
【００１２】
帳票搬送路３内で帳票５に対して図１の紙面垂直方向に送りを掛ける帳票搬送ローラ等からなる帳票搬送手段の構成については既に公知であるので記載を省略し、その駆動源を構成する帳票搬送モータＭ１を図２に記載するにとどめる。同様に、図１の紙面左右方向に向けてキャリア６に送りを掛けるタイミングベルトや歯付プーリ等のキャリア駆動手段に関しても公知であるので記載を省略し、図１にキャリアガイド１３，１４を示し、キャリア駆動手段の駆動源を構成するキャリア駆動モータＭ２を図２に示す。
【００１３】
この実施例における印字ヘッド制御部、つまり、設定された制御パラメータに従って印字ヘッド４のワイヤの駆動態様を電気的に制御するための手段は、図２に示されるプリンタ制御装置２の主要部を構成するマイクロプロセッサ８と其の制御プログラムを格納したＲＯＭ９、および、入出力回路１０を介してマイクロプロセッサ８から入力される指令を受けて印字ヘッド４を駆動制御する印字ヘッド駆動回路１１によって構成されている。
【００１４】
また、プリンタ制御装置２の不揮発性メモリ１２は、一般帳票である単票への高速印字に適した一般帳票用の制御パラメータと、単票への高速印字の際と同等の叩打力を保持した状態でワイヤの押し込み時間のみを冗長するための複写伝票用の制御パラメータとを記憶するパラメータ記憶手段として機能する。
【００１５】
この実施例では、帳票プリンタ１で使用される帳票５として、小冊子状の通帳と、カーボン紙や白紙を重合して構成した複写伝票と、一枚の紙片からなる単票を想定している。
【００１６】
一般的な属性として、小冊子状に折り畳まれた通帳の厚みは２ｍｍ前後、また、単票の厚みは約５０μｍ〜１５０μｍ程度である。通常、複写伝票は、約５０μｍの厚さの紙やカーボン紙を３枚〜７枚重ねて構成され、その厚みは概ね１５０μｍ〜３５０μｍほどとなり、実際には、厚さ５０μｍの用紙を３枚、あるいは、７５μｍの用紙を２枚重ねた１５０μｍ前後の複写伝票や、５０μｍの用紙を４枚、あるいは、４０μｍの用紙を５枚重ねた２００μｍ前後の複写伝票といったものが存在する。
【００１７】
従って、帳票５の厚みのみに基いて複写伝票と単票を識別するとした場合、１５０μｍ前後の厚みの帳票５が複写伝票であるのか単票であるのかを識別することは困難であるが、複写伝票の最下部に位置する紙への転写カスレが実質的な問題となるのは、重合する紙の枚数が４枚を超えた時点であるので、例えば、１５０μｍの厚みを閾値として複写伝票と単票を識別しても実質的な支障はない。その場合、厚さ５０μｍの用紙を３枚、あるいは、７５μｍの用紙を２枚重ねた１５０μｍ前後の複写伝票が単票として判定される可能性があるが、１５０μｍ前後の複写伝票の場合においては重合する紙の枚数は４枚以下であるので、複写伝票に固有の転写カスレ、より具体的には、比較的転写枚数が多い複写伝票（強いて言えば４枚を超える紙やカーボン紙を重ねた複写伝票）に固有の転写カスレの問題は発生しない。
【００１８】
ここでは、専ら、複写伝票に生じる転写カスレを問題としているので、帳票プリンタ１で使用される帳票５の種別を単純に複写伝票と一般帳票の２種に分類しているが、上述の説明から明らかなように、実際には、一般帳票には単票と通帳の２種が含まれる。
【００１９】
一般帳票のうち、通帳に関してみると、背景技術の欄でも説明したように、印字ヘッド４のワイヤがインクリボンのインクをページ上に均一に転写できずに濃いドットと薄いドットが混在して印字品質が劣化するといった不都合があるが、この点に関しては、背景技術の欄でも説明した通り、印字ヘッド４の耐久性さえ問わなければ、印字ヘッド４のワイヤの叩打力を冗長して対処するといったことが可能であり、そうした方法を適用した場合には、印字ヘッド４の耐久性の低下というデメリットがあるものの、印字動作の高速化といったメリットを得ることができる。また、印字速度の多少の低下を覚悟するのであれば、単票に対して行われる高速印字の際と同等の叩打力を保持した状態でワイヤの押し込み時間のみを冗長するといった方法、つまり、本質的には複写伝票に生じる転写カスレの発生を防止するための方法を通帳の印字に転用することによっても、ワイヤの叩打力を冗長する場合と同等あるいは其れ以上の成果をもって通帳の印字の高品質化に対処することが可能である。この実施例では、帳票５の種別を複写伝票と一般帳票の２種に分類するにとどまらず、更に、一般帳票に属する帳票を単票と通帳とに識別できるようにしており、帳票５が複写伝票である場合には必ず単票に対する高速印字の際と同等の叩打力を保持した状態でワイヤの押し込み時間のみを冗長して転写カスレの発生を防止するようにしている。また、帳票５が一般帳票の一種である通帳である場合においては、印字速度を多少犠牲にしても印字ヘッド４の耐久性を優先したければ複写伝票の場合と同様の印字方法を適用するが、印字ヘッド４の耐久性を多少犠牲にしても印字速度を優先したければ、従来と同様に印字ヘッド４のワイヤの叩打力を冗長してドットの濃淡のバラツキを抑制するようにしても構わない。
【００２０】
いずれにせよ、少なくとも複写伝票に対しての印字に際しては単票に対して行われる高速印字の際と同等の叩打力を保持した状態でワイヤの押し込み時間のみを冗長するとした構成により、通帳と複写伝票の双方に対して印字ヘッド４のワイヤの叩打力を冗長して印字動作を行なう従来の印字制御の場合と比べて複写伝票に対しての印字の品質が向上し、また、少なくとも複写伝票への印字に際してワイヤに作用する負荷が軽減されることから、印字ヘッド４の耐久性も相対的に向上し、当初の目的が達成されることになる。
【００２１】
つまり、端的にいえば、帳票５が複写伝票である場合に単票に対する高速印字の際と同等の叩打力を保持した状態でワイヤの押し込み時間のみを冗長して印字動作を行なうことは必須の要件であるが、帳票５が通帳である場合に、印字ヘッド４のワイヤの叩打力を冗長して濃いドットと薄いドットとの混在を防止するか、あるいは、単票に対する高速印字の際と同等の叩打力を保持した状態でワイヤの押し込み時間を冗長して印字動作を行なうことで薄いドットとの混在を防止するかは、選択的な事項である。
【００２２】
ここで、不揮発性メモリ１２に記憶されている印字ヘッドの制御パラメータについて説明する。
【００２３】
一般に、印字品位に問題がある場合は、特開昭６３−２６４３８２号公報等で既に開示されている通り、印字ヘッド４におけるワイヤの駆動態様を電気的に制御するパラメータを変更することで改善できる。通常、ドットインパクトプリンタでは、図３（ａ）に示される初期通電時間ｔ１，全通電時間ｔ２，ＰＷＭ制御のＯＦＦ時間ｃ１，ＰＷＭ制御の１周期ｃ２の４つのパラメータを変更して、適切な印字結果が得られるよう調整している。
【００２４】
例えば、一般帳票である単票への高速印字に適した図３（ａ）の設定で通帳の厚いページでの印字品位が悪い場合などは、薄いドットが生じないように、ｔ１，ｃ１，ｃ２を変更し、図３（ｂ）のようにｔ１’，ｃ１’，ｃ２’として入力電力を増やし、叩打力が大きくなるよう設定して、印字全体が濃くなるようにする。
【００２５】
しかし、図３（ｂ）のようなパラメータを適用した場合、印字ヘッド４におけるワイヤのドット叩打力が増加しているため、ワイヤの負荷応力が増え、ワイヤ先端の磨耗やワイヤ折れによる寿命の低下が問題になる。また、比較的に厚めの複写伝票の最下部に位置する紙の印字品位を改善するためには、叩打力を増やすのではなく、印字ヘッド４のワイヤの叩打力が複写用紙の最下部の紙まで届くように長い時間押さえてやる、言い換えれば、図３（ａ）や図４（ａ）で示す帳票５へのワイヤ押し込み時間Ｔを長くすることが重要である。
【００２６】
よって、図４（ｂ）に示すように、印字ヘッド４のワイヤの駆動周波数を下げ、ｔ１，ｔ２，ｃ１，ｃ２の全てのパラメータをｔ１”，ｔ２”，ｃ１”，ｃ２”のように変更し、叩打力を増やすことなく帳票へのワイヤ押し込み時間Ｔを長くすることによって、厚めの複写伝票最下部に位置する紙の印字品位を改善することが可能である。
【００２７】
具体的には、図４（ｂ）に示されるように、初期通電時間ｔ１”に関しては単票を初めとする一般帳票への高速印字に適用される初期通電時間ｔ１よりも短くし、ＰＷＭ制御の１周期ｔ２”に関しては単票を初めとする一般帳票への高速印字に適用されるＰＷＭ制御の１周波ｔ２よりも長くし（周波数としては１／ｔ２”が１／ｔ２よりも低い）、ＰＷＭ制御のＯＦＦ時間ｃ１”に関しては単票を初めとする一般帳票への高速印字に適用されるＰＷＭ制御のＯＦＦ時間ｃ１よりも短くし、ＰＷＭ制御のＯＮ時間ｃ２”−ｃ１”に関しては単票を初めとする一般帳票への高速印字に適用されるＰＷＭ制御のＯＮ時間ｃ２−ｃ１よりも長くすることが望ましい。
【００２８】
次に、この実施例の帳票プリンタ１に設けられた帳票種別判定手段の構成について具体的に説明する。
【００２９】
この実施例の帳票種別判定手段は、図１に示されるように、キャリア６とプラテン７との間に帳票５が位置した状態でプラテン７をキャリア６に接近する方向に一定の力で押圧するプラテン押圧手段１５と、プラテン押圧手段１５を作動させた状態でキャリア６とプラテン７との間の離間距離を測定する厚さ測定手段１６とを備える。
【００３０】
このうち、プラテン押圧手段１５は、プラテン７の移動方向を帳票５の面の法線方向つまり図１中の上下方向に規制するプラテンガイド１７と、プラテン７と平行に配置されたカムシャフト１８に設けられ、プラテン７と実質的に一体の構成部材つまりプラテン７の下部に回転自在に固設されたカムフォロア１９に摺接して其の回転量に応じてプラテン７をキャリア６に向けて移動させるプラテン昇降カム２０と、プラテン昇降カム２０の駆動源を構成するプラテン昇降モータＭ３と、プラテン昇降モータＭ３からプラテン昇降カム２０に至る動力伝達系路上に位置してプラテン昇降カム２０の駆動トルクを機械的に制限するトルクリミッタ２１によって構成される。
【００３１】
プラテン昇降モータＭ３からプラテン昇降カム２０に至る動力伝達系路は、プラテン昇降モータＭ３の主軸に固着されたプライマリプーリ２２と、トルクリミッタ２１の外輪２４に固着されたセカンダリプーリ２７とプライマリプーリ２２に掛け回されたタイミングベルト２３と、トルクリミッタ２１の外輪２４と内輪２５との間に介在するコイルスプリング２６、および、トルクリミッタ２１の内輪２５を固着したカムシャフト１８によって構成されている。
【００３２】
プラテン昇降カム２０の駆動トルクを機械的に制限するトルクリミッタの構成は実際にはどのようなものでも構わないが、ここでは、一例として、図５に示されるようなトルクリミッタ２１について説明する。
【００３３】
トルクリミッタ２１は、既に特開２００２−２３０６２６号公報等で公知のもので、その主要部は、カムシャフト１８に固着された内輪２５と、セカンダリプーリ２７に端部を固着された外輪２４、および、内輪２５に一定の力で巻き付けられて一端部を外輪２４の内周面に固着されたコイルスプリング２６と、セカンダリプーリ２７をカムシャフト１８に対して回転自在に支持するためのラジアルベアリング２８によって構成され、カムシャフト１８に固着された内輪２５とセカンダリプーリ２７に固着された外輪２４との間に作用する駆動力が規定の範囲内にあれば、外輪２４の内周面に一端を固着されたコイルスプリング２６の他端が内輪２５の外周面を保持してカムシャフト１８をセカンダリプーリ２７と一体に回転させ、カムシャフト１８に固着された内輪２５とセカンダリプーリ２７に固着された外輪２４との間に作用する駆動力が規定の範囲を超えると、外輪２４の内周面に一端を固着されたコイルスプリング２６の他端と内輪２５の外周面との間に一定のトルクを保持した状態で滑りが発生し、カムシャフト１８つまり最終的にはプラテン昇降カム２０が過剰な力で駆動されないようになっている。
【００３４】
プラテン押圧手段１５が非作動となってプラテン７が下降限度に退避した状態を図６に示す。この状態でプラテン昇降モータＭ３を駆動し、プライマリプーリ２２，タイミングベルト２３，セカンダリプーリ２７，トルクリミッタ２１（外輪２４，コイルスプリング２６，内輪２５），カムシャフト１８を介してプラテン昇降カム２０を図６中で反時計方向に回転させると、プラテン７のカムフォロア１９とカムシャフト１８の回転中心を結ぶ方向においてプラテン昇降カム２０の回転中心からプラテン昇降カム２０の外周面に至る距離が徐々に増大し、プラテン昇降カム２０の外周面に摺接したカムフォロア１９が徐々に上昇して、カムフォロア１９と一体的に上下動するプラテン７が、キャリア６に接近する方向、つまり、図６中の上方に向けて押し上げられる。そして、プラテン７とキャリア６との間に位置する帳票５にプラテン７の上面が当接して帳票５がキャリア６に圧接されると、キャリア６で上面側を支えられた帳票５がプラテン７の上昇を阻害する方向の反力を発生し、この反力、言い換えればプラテン７が帳票５を押し上げる力が規定の値に達すると、前述した通り、トルクリミッタ２１を構成するコイルスプリング２６と内輪２５との間に滑りが生じ、プラテン７が帳票５を押し上げる力が一定の範囲に制限される。従って、プラテン押圧手段１５を作動させることにより、帳票５の厚さには殆ど関わりなく、一定の力でプラテン７とキャリア６との間に帳票５を挾圧することができる。
【００３５】
また、厚さ測定手段１６の主要部は、図１に示されるように、プラテン昇降カム２０の回転量を検知する回転センサ２９と、回転センサ２９からの出力に基いてキャリア６とプラテン７との間の離間距離を求める回転量・直線距離変換手段によって構成される。
【００３６】
回転センサ２９は、カムシャフト１８およびプラテン昇降カム２０と一体的に回転するスリット付きのディスク３０と、ディスク３０の表裏に一定の間隔を置いて設置されたフォトカプラ等の光学センサ３１によって構成される。プラテン押圧手段１５が非作動となってプラテン７が下降限度に退避したときのディスク３０の回転位置を図７（ａ）に、また、プラテン７とキャリア６との間に厚めの帳票５が挟み込まれた状態でプラテン７が上昇限度に到達してトルクリミッタ２１が作動したときのディスク３０の回転位置を図７（ｂ）に、そして、プラテン７とキャリア６との間に薄めの帳票５が挟み込まれた状態でプラテン７が上昇限度に到達してトルクリミッタ２１が作動したときのディスク３０の回転位置を図７（ｃ）に示す。ディスク３０には周方向に一定の間隔を置いて多数のスリット３２が穿設されおり、厚めの帳票５が挟み込まれた状態では図７（ｂ）に示されるようにカムシャフト１８およびプラテン昇降カム２０の回転角度θ’が小さく、薄めの帳票５が挟み込まれた状態では図７（ｃ）に示されるようにカムシャフト１８およびプラテン昇降カム２０の回転角度θ”が大きくなるので、図７（ａ）の初期位置からのディスク３０の回転によって光学センサ３１をよぎるスリット３２の数をカウントすることで、プラテン昇降カム２０の回転量を検知することができる。回転センサ２９の構成や作用原理は市販のパルスコーダ（インクリメンタルエンコーダ）と同様である。図７ではスリット３２を一層のみ設けた例について示しているが、市販のパルスコーダ（インクリメンタルエンコーダ）と同様、位相をずらせて複数層のスリット３２を設けることで角度検出の分解能を向上させることができる。
【００３７】
厚さ測定手段１６の他部を構成する回転量・直線距離変換手段は、この実施例においては、プリンタ制御装置２のマイクロプロセッサ８と其の制御プログラムを格納したＲＯＭ９、および、不揮発性メモリ１２に格納された図示しないデータ変換テーブルによって構成される。つまり、不揮発性メモリ１２のデータ変換テーブルには、図７（ａ）に示されるような初期位置からのディスク３０の回転に伴って光学センサ３１から出力されるスリット３２の計数信号の数に対応するキャリア７とプラテン６との間の離間距離の関係、要するに、計数信号の数と帳票５の厚みとの対応関係が記憶されており、マイクロプロセッサ８が入力回路１０を介して光学センサ３１からの計数信号の数を読み込み、この計数信号の数に基いてデータ変換テーブルを検索することによってキャリア７とプラテン６との間の離間距離つまり帳票５の厚みが求められるようになっている。不揮発性メモリ１２にデータ変換テーブルを記憶させる代わりに、プラテン昇降カム２０の回転量（光学センサ３１からの計数信号の数）に基いてキャリア７とプラテン６との間の離間距離を求める演算式を記憶させ、この演算式に計数信号の数を代入してキャリア７とプラテン６との間の離間距離つまり帳票５の厚みを求めるようにしても構わない。
【００３８】
帳票種別判定手段のうち、プラテン押圧手段１５と厚さ測定手段１６を除いた部分、即ち、種別特定手段１６による帳票５の厚みの測定結果に基いて帳票搬送路３内の帳票５が一般帳票であるのか複写伝票であるのかを特定する種別特定手段は、この実施例では、プリンタ制御装置２のマイクロプロセッサ８と其の制御プログラムを格納したＲＯＭ９、および、不揮発性メモリ１２に格納された各種の判定値によって構成されている。
【００３９】
図２に示されるように、図示しない帳票搬送手段の駆動源を構成する帳票搬送モータＭ１と図示しないキャリア駆動手段の駆動源を構成するキャリア駆動モータＭ２およびプラテン昇降カム２０の駆動源を構成するプラテン昇降モータＭ３は、各々のモータ駆動回路３３，３４，３５と入出力回路１０を介してマイクロプロセッサ８によって駆動制御される。
【００４０】
図２中の帳票位置検出センサ３６は帳票搬送手段によって帳票搬送路３内を送られる帳票５の位置を検知するためのもので、この種の帳票プリンタにおいては既に公知の構成要素である。図２では帳票位置検出センサ３６を１つのみ記載しているが、実際には、帳票位置検出センサ３６は帳票搬送路内の様々な位置に配備されており、各位置の帳票位置検出センサ３６からの信号を入出力回路１０を介してマイクロプロセッサ８が読み込むことにより、帳票搬送路３内における帳票５の位置をマイクロプロセッサ８が正確に把握できるようになっている。
【００４１】
通帳からなる帳票５に貼付された磁気テープに対してデータの読み書きを行なうための磁気ヘッド３７やページマークの読み取り等に利用されるイメージセンサ３８も、この種の帳票プリンタにおいては既に公知の構成要素である。
【００４２】
インターフェイス３９は、上位装置として機能する行内のホストコンピュータと帳票プリンタ１とを情報伝達可能に接続するためのインターフェイスであり、ＲＡＭ４０は、マイクロプロセッサ８が演算処理を実行する過程でデータの一時記憶に使用される。
【００４３】
この実施例では、プリンタ制御装置２のマイクロプロセッサ８と其の制御プログラムを格納したＲＯＭ９およびＲＡＭ４０が、帳票搬送モータＭ１を駆動制御して帳票５の搬送方向において挿入された帳票５の前半部分をキャリア７とプラテン６との間に位置決めした状態でプラテン押圧手段１５および厚さ測定手段１６を作動させて測定結果を一時記憶する第一測定実行手段として機能し、また、帳票搬送モータＭ１を駆動制御して前記挿入された帳票５の後半部分をキャリア７とプラテン６との間に位置決めした状態でプラテン押圧手段１５および厚さ測定手段１６を作動させて測定結果を一時記憶する第二測定実行手段としても機能する。
【００４４】
また、マイクロプロセッサ８と其の制御プログラムを格納したＲＯＭ９は、第一測定実行手段による測定結果と第二測定実行手段による測定結果の差分が予め設定された段差判定値の範囲内にあり、かつ、第一測定実行手段もしくは第二測定実行手段による測定結果が帳票５の一種として使用される通帳の折り畳み時の厚みの１／２倍量に匹敵する値と異なり、同時に、第一測定実行手段もしくは第二測定実行手段による測定結果が予め設定された単票判定値を超えている場合に限って帳票５が複写伝票であると特定する種別特定手段として機能するほか、第一測定実行手段による測定結果が予め設定された通帳用自明判定値を超える場合と第一測定実行手段による測定結果が予め設定された単票用自明判定値に満たない場合に帳票が一般帳票であると直ちに判定して第二測定実行手段の作動を非実行とする判定処理高速化手段としても機能する。
【００４５】
プリンタ制御装置２のマイクロプロセッサ８と其の制御プログラムを格納したＲＯＭ９は、更に、帳票種別判定手段における種別特定手段の判定結果に応じて一般帳票用の制御パラメータや複写伝票用の制御パラメータを印字ヘッド制御部にワイヤ駆動条件として設定するパラメータ選択手段としても機能する。
【００４６】
図８および図９は、印字ヘッド制御部の一部、帳票種別判定手段を構成する厚さ測定手段の一部である回転量・直線距離変換手段および第一測定実行手段と第二測定実行手段種別特定手段、ならびに、種別特定手段と判定処理高速化手段およびパラメータ選択手段として機能するマイクロプロセッサ８の処理動作を具体的に示したフローチャートである。
【００４７】
次に、図８および図９を参照して、前述の各手段として機能するマイクロプロセッサ８の処理動作について具体的に説明する。
【００４８】
帳票５が帳票搬送路３に挿入され、帳票位置検出センサ３６によって帳票５の挿入が検出されると、マイクロプロセッサ８は、まず、従来と同様に、イメージセンサ３８や磁気ヘッド３７を利用して、帳票５のページマークの読み取りや帳票５に貼付された磁気テープに対するデータの読み書き等の処理を実行する。この点に関しては既に公知であるのでフローチャートによる説明は省略する。
【００４９】
次いで、帳票プリンタ１の上位装置として機能する行内のホストコンピュータからインターフェイス３９を介して印字動作の指令が入力されると（ステップａ１）、まず、帳票種別判定手段の一部である第一測定実行手段として機能するマイクロプロセッサ８が、入出力回路１０およびモータ駆動回路３３を介して図示しない帳票搬送手段の駆動源を構成する帳票搬送モータＭ１を駆動制御し、帳票搬送手段の帳票搬送ローラ等を作動させて帳票５の搬送方向において挿入された帳票５の前半部分をキャリア７とプラテン６との間に位置決めする（ステップａ２）。
【００５０】
図１０は帳票５の搬送方向を示す概念図であり、図１０中の位置Ａ、つまり、帳票５のうち搬送方向前方の前方に位置するページが挿入された帳票５の前半部分である。但し、帳票５が通帳であるとは限らず、複写伝票である場合もあれば単票である場合もある。
【００５１】
次いで、第一測定実行手段として機能するマイクロプロセッサ８が、図９に示されるような厚さ測定処理のサブルーチンを呼び出し、帳票５の厚みの測定に関わる処理を実行する（ステップａ３）。
【００５２】
厚さ測定処理のサブルーチンが呼び出されると、まず、マイクロプロセッサ８が入出力回路１０およびモータ駆動回路３５を介してプラテン昇降カム２０の駆動源を構成するプラテン昇降モータＭ３を駆動制御し、プラテン昇降カム２０を図６中で反時計方向に回転させてプラテン押圧手段１５を作動させ、プラテン７をキャリア６に接近する方向に移動させて、プラテン７とキャリア６との間に帳票５の前半部分を一定の力で挟み込む（ステップｂ１）。
【００５３】
次いで、厚さ測定手段として機能するマイクロプロセッサ８が入出力回路１０を介して回転センサ２９の主要部を構成する光学センサ３１からプラテン昇降カム２０の回転量を表すパルス数の計数値を読み込み（ステップｂ２）、不揮発性メモリ１２に格納されたデータ変換テーブルを参照して、この計数値に対応するキャリア７とプラテン６との間の離間距離すなわち帳票５の厚みを求め（ステップｂ３）、この厚みをＲＡＭ４０の厚さ記憶レジスタＲ０に一時記憶した後（ステップｂ４）、プラテン昇降モータＭ３を駆動制御してプラテン昇降カム２０を初期の回転位置に復帰させ、プラテン７を退避位置に戻す（ステップｂ５）。
【００５４】
このようにして厚さ測定処理のサブルーチンが終了し、第一測定実行手段の一部である厚さ記憶レジスタＲ０に帳票５の前半部分の厚さの測定結果が記憶されると、帳票種別判定手段の一部を構成する判定処理高速化手段として機能するマイクロプロセッサ８が、厚さ記憶レジスタＲ０に記憶された帳票５の前半部分の厚さが通帳用自明判定値Ｚ１（例えば通帳の半分以上の厚さである１ｍｍ）を超えているか否かを判定する（ステップａ４）。
【００５５】
ここで、ステップａ４の判定結果が真となり、帳票５の前半部分の厚さが通帳用自明判定値Ｚ１を超えていることが明らかとなった場合には、この帳票５が一般帳票のうちの通帳であることを意味するので、パラメータ選択手段として機能するマイクロプロセッサ８は、一般帳票用の制御パラメータのうち通帳の印字に適した制御パラメータをパラメータ記憶手段である不揮発性メモリ１２から読み出し、印字ヘッド４におけるワイヤの駆動態様を電気的に制御する印字ヘッド駆動回路１１にワイヤ駆動条件としてセットする（ステップａ５）。
具体的には、印字ヘッド４のワイヤの叩打力を冗長して濃いドットと薄いドットとの混在を防止するのに適した図３（ｂ）のようなパラメータを選択するか（印字速度を優先する場合）、もしくは、単票への高速印字の際と同等の叩打力を保持した状態でワイヤの押し込み時間を冗長して印字動作を行なうのに適した図４（ｂ）のようなパラメータを選択する（耐久性を優先する場合）。
【００５６】
一方、ステップａ４の判定結果が偽となった場合、帳票種別判定手段の一部を構成する判定処理高速化手段として機能するマイクロプロセッサ８は、厚さ記憶レジスタＲ０に記憶された帳票５の前半部分の厚さが単票用自明判定値Ｚ２（例えば薄い単票の厚みに相当する厚さである５０μｍ）を下回っているか否かを判定する（ステップａ６）。
【００５７】
ステップａ６の判定結果が真となり、帳票５の前半部分の厚さが単票用自明判定値Ｚ２に満たないことが明らかとなった場合には、この帳票５が一般帳票のうちの単票であることを意味するので、パラメータ選択手段として機能するマイクロプロセッサ８は、一般帳票用の制御パラメータのうち単票の印字に適した制御パラメータをパラメータ記憶手段である不揮発性メモリ１２から読み出し、印字ヘッド４におけるワイヤの駆動態様を電気的に制御する印字ヘッド駆動回路１１にワイヤ駆動条件としてセットする（ステップａ７）。具体的には、単票に対して行われる高速印字に適した図３（ａ），図４（ａ）のようなパラメータを選択する。
【００５８】
このように、ステップａ４あるいはステップａ６の判定結果が真となって帳票５が通帳もしくは単票であることが自明となった場合には、第二測定実行手段によって改めて厚さ測定を行なう必要はないので、ステップａ１０の処理は非実行とされる。この場合、プラテン押圧手段１５を改めて駆動する必要がないので、全体としての帳票処理の所要時間を大幅に短縮して処理を高速化することができる。
【００５９】
これに対し、ステップａ４およびステップａ６の判定結果が共に偽となった場合には、この時点では未だ帳票５の種別は特定できないので、マイクロプロセッサ８は、第一測定実行手段の一部である厚さ記憶レジスタＲ０に記憶された帳票５の前半部分の厚さの測定結果を第一測定実行手段の一部として新たに機能する厚さ記憶レジスタＲ１に移し替え（ステップａ８）、帳票種別判定手段の一部である第二測定実行手段として機能するマイクロプロセッサ８が、入出力回路１０およびモータ駆動回路３３を介して図示しない帳票搬送手段の駆動源を構成する帳票搬送モータＭ１を駆動制御し、帳票搬送手段の帳票搬送ローラ等を作動させて現時点で挿入されている帳票５の後半部分をキャリア７とプラテン６との間に位置決めする（ステップａ９）。
【００６０】
図１０中の位置Ｂ、つまり、帳票５のうち搬送方向前方の後方に位置するページが挿入された帳票５の後半部分である。但し、帳票５が通帳であるとは限らず、複写伝票である場合もあれば単票である場合もある。
【００６１】
次いで、第二測定実行手段として機能するマイクロプロセッサ８が、図９に示されるような厚さ測定処理のサブルーチンを呼び出し、帳票５の厚みの測定に関わる処理を実行する（ステップａ１０）。
【００６２】
厚さ測定処理のサブルーチンが呼び出されると、まず、マイクロプロセッサ８が入出力回路１０およびモータ駆動回路３５を介してプラテン昇降カム２０の駆動源を構成するプラテン昇降モータＭ３を駆動制御し、プラテン昇降カム２０を図６中で反時計方向に回転させてプラテン押圧手段１５を作動させ、プラテン７をキャリア６に接近する方向に移動させて、プラテン７とキャリア６との間に帳票５の後半部分を一定の力で挟み込む（ステップｂ１）。
【００６３】
次いで、厚さ測定手段として機能するマイクロプロセッサ８が入出力回路１０を介して回転センサ２９の主要部を構成する光学センサ３１からプラテン昇降カム２０の回転量を表すパルス数の計数値を読み込み（ステップｂ２）、不揮発性メモリ１２に格納されたデータ変換テーブルを参照して、この計数値に対応するキャリア７とプラテン６との間の離間距離すなわち帳票５の厚みを求め（ステップｂ３）、この厚みをＲＡＭ４０の厚さ記憶レジスタＲ０に一時記憶した後（ステップｂ４）、プラテン昇降モータＭ３を駆動制御してプラテン昇降カム２０を初期の回転位置に復帰させ、プラテン７を退避位置に戻す（ステップｂ５）。
【００６４】
このようにして厚さ測定処理のサブルーチンが終了し、第二測定実行手段の一部として新たに機能する厚さ記憶レジスタＲ０に、挿入された帳票５の後半部分の厚さの測定結果が記憶されると、帳票種別判定手段の一部を構成する種別特定手段として機能するマイクロプロセッサ８が、この時点で第一測定実行手段の一部として機能している厚さ記憶レジスタＲ１に記憶されている帳票５の前半部分の厚さと、この時点で第二測定実行手段の一部として機能している厚さ記憶レジスタＲ０に記憶されている帳票５の後半部分の厚さの差分｜Ｒ１−Ｒ０｜を求め、この差分が予め設定された段差判定値ε１の範囲内（例えば、通帳の１枚分のページに相当する厚さの範囲）にあるか否かを判定する（ステップａ１１）。
【００６５】
ここで、ステップａ１１の判定結果が真となり、挿入された帳票５の前半部分と後半部分の厚さの差分｜Ｒ１−Ｒ０｜が段差判定値ε１を超えていることが明らかとなった場合には、この時点で帳票搬送路３に挿入されている帳票５は、単票もしくは複数のカーボン紙や紙を重ねた平らな複写伝票ではなく、図１０に示されるように、印字対象のページを境に前半部分と後半部分のページの枚数が異なる通帳を開いた状態で挿入したものであることが明らかであるから、種別特定手段として機能するマイクロプロセッサ８は、この帳票５が一般帳票のうちの通帳であると見做し、パラメータ選択手段として機能するマイクロプロセッサ８は、一般帳票用の制御パラメータのうち通帳の印字に適した制御パラメータをパラメータ記憶手段である不揮発性メモリ１２から読み出し、印字ヘッド４におけるワイヤの駆動態様を電気的に制御する印字ヘッド駆動回路１１にワイヤ駆動条件としてセットする（ステップａ５）。
具体的には、印字ヘッド４のワイヤの叩打力を冗長して濃いドットと薄いドットとの混在を防止するのに適した図３（ｂ）のようなパラメータを選択するか（印字速度を優先する場合）、もしくは、単票に対する高速印字の際と同等の叩打力を保持した状態でワイヤの押し込み時間を冗長して印字動作を行なうのに適した図４（ｂ）のようなパラメータを選択する（耐久性を優先する場合）。
【００６６】
また、ステップａ１１の判定結果が偽となった場合には帳票５の前半部分と後半部分に実質的な厚みの差がないこと、つまり、この帳票５は、印字対象のページを境とする前半部分と後半部分のページの枚数が等しい通帳であるかもしれないし、あるいは、厚めの複写伝票であるかもしれないといったことを意味する。
【００６７】
従って、帳票種別判定手段の一部を構成する種別特定手段として機能するマイクロプロセッサ８は、更に、第一測定実行手段の一部として機能している厚さ記憶レジスタＲ１に記憶されている帳票５の前半部分の厚さと通帳の折り畳み時の厚みＺ３の１／２倍量（例えば１ｍｍ）との差分が判定許容値ε２の範囲にあるか否か、つまり、帳票５の前半部分の厚さが通帳の折り畳み時の厚みの１／２倍量に匹敵する値と異なるか否かを判定する（ステップａ１２）。
【００６８】
ステップａ１２の判定結果が真となって挿入された帳票５の前半部分の厚さが通帳の折り畳み時の厚みの１／２倍量に匹敵する値と略一致すると判定された場合には、この帳票５が、印字対象のページを境とする前半部分と後半部分のページの枚数が等しい通帳であることが明らかであるので、種別特定手段として機能するマイクロプロセッサ８は、この帳票５が一般帳票のうちの通帳であると見做し、パラメータ選択手段として機能するマイクロプロセッサ８は、一般帳票用の制御パラメータのうち通帳の印字に適した制御パラメータをパラメータ記憶手段である不揮発性メモリ１２から読み出し、印字ヘッド４におけるワイヤの駆動態様を電気的に制御する印字ヘッド駆動回路１１にワイヤ駆動条件としてセットする（ステップａ５）。
具体的には、印字ヘッド４のワイヤの叩打力を冗長して濃いドットと薄いドットとの混在を防止するのに適した図３（ｂ）のようなパラメータを選択するか（印字速度を優先する場合）、もしくは、単票に対する高速印字の際と同等の叩打力を保持した状態でワイヤの押し込み時間を冗長して印字動作を行なうのに適した図４（ｂ）のようなパラメータを選択する（耐久性を優先する場合）。
【００６９】
なお、この実施例ではステップａ１２の処理において帳票５の前半部分の厚さＲ１に基づく判定処理を行っているが、ステップａ１１の判定結果から明らかなように、Ｒ１の値とＲ０の値は実質的に等しいので、Ｒ１の値に代えて帳票５の後半部分の厚さＲ０の値を用いても構わない。
【００７０】
一方、ステップａ１２の判定結果が偽となって挿入された帳票５の前半部分の厚さが通帳の折り畳み時の厚みの１／２倍量に匹敵する値と異なると判定された場合には、この帳票５が通帳でないことは明らかであり、単票用自明判定値Ｚ２（例えば５０μｍ）よりも厚い単票もしくは複写伝票である可能性が残る。
【００７１】
そこで、ステップａ１２の判定結果が偽となった場合、種別特定手段として機能するマイクロプロセッサ８は、更に、第一測定実行手段の一部として機能している厚さ記憶レジスタＲ１に記憶されている帳票５の前半部分の厚さが単票判定値Ｚ４（例えば１５０μｍ）を超えているか否かを判定する（ステップａ１３）。
【００７２】
ステップａ１３の判定結果が偽となって挿入された帳票５の前半部分の厚さが単票判定値Ｚ４（例えば１５０μｍ）の範囲内にあることが明らかとなった場合には、この帳票５が５０μｍを超えて１５０μｍ以下の単票であるのか、あるいは、１５０μｍ以下の複写伝票であるといった可能性が残る。
【００７３】
しかし、既に述べた通り、複写伝票の最下部に位置する紙への転写カスレが実質的な問題となるのは、重合する紙の枚数が４枚を超えた時点であるので、１５０μｍ程度の厚みの範囲内にある複写伝票、例えば、厚さ５０μｍの用紙を３枚、あるいは、７５μｍの用紙を２枚重ねた１５０μｍ前後の複写伝票が単票として判定されたとしても、複写伝票に固有の転写カスレの問題には殆ど影響がない。
【００７４】
従って、ステップａ１３の判定結果が偽となって挿入された帳票５の前半部分の厚さが単票判定値Ｚ４の範囲内にあることが明らかとなった場合には、種別特定手段として機能するマイクロプロセッサ８は、この帳票５が一般帳票のうちの単票であるものと見做し、パラメータ選択手段として機能するマイクロプロセッサ８が、一般帳票用の制御パラメータのうち単票の印字に適した制御パラメータをパラメータ記憶手段である不揮発性メモリ１２から読み出し、印字ヘッド４におけるワイヤの駆動態様を電気的に制御する印字ヘッド駆動回路１１にワイヤ駆動条件としてセットする（ステップａ７）。具体的には、単票に対して行われる高速印字に適した図３（ａ），図４（ａ）のようなパラメータを選択する。
【００７５】
これに対し、ステップａ１３の判定結果が真となった場合、つまり、挿入された帳票５の前半部分の厚さと後半部分の厚さの差分｜Ｒ１−Ｒ０｜が段差判定値ε１の範囲内にあり（ステップａ１１の判定結果が偽）、かつ、帳票５の前半部分の厚さが通帳の折り畳み時の厚みの１／２倍量に匹敵する値と明らかに異なり（ステップａ１２の判定結果が偽）、同時に、帳票５の前半部分の厚さが単票判定値Ｚ４（例えば１５０μｍ）を超えていることが明らかとなった場合には、種別特定手段として機能するマイクロプロセッサ８は、この帳票５が比較的厚めの複写伝票つまり転写カスレの問題が発生する可能性のある複写伝票であると特定し、パラメータ選択手段として機能するマイクロプロセッサ８が、単票高速印字の際と同等の叩打力を保持した状態でワイヤの押し込み時間のみを冗長するための複写伝票用の制御パラメータをパラメータ記憶手段である不揮発性メモリ１２から読み出し、印字ヘッド４におけるワイヤの駆動態様を電気的に制御する印字ヘッド駆動回路１１にワイヤ駆動条件としてセットする（ステップａ１４）。具体的には、ワイヤの押し込み時間Ｔを冗長するために初期通電時間ｔ１，全通電時間ｔ２，ＰＷＭ制御のＯＦＦ時間ｃ１，ＰＷＭ制御の１周期ｃ２をｔ１”，ｔ２”，ｃ１”，ｃ２”に変更した図４（ｂ）のようなパラメータを選択する。
【００７６】
この実施例ではステップａ１３の処理において挿入された帳票５の前半部分の厚さＲ１に基づく判定処理を行っているが、ステップａ１１の判定結果から明らかなように、Ｒ１の値とＲ０の値は実質的に等しいので、Ｒ１の値に代えて該帳票５の後半部分の厚さＲ０の値を用いても構わない。
【００７７】
このようにしてステップａ５，ステップａ７あるいはステップａ１４の処理で印字ヘッド駆動回路１１に帳票５の種別に見合ったパラメータをセットした後、マイクロプロセッサ８は、上位装置として機能するホストコンピュータからの指令に応じて印字ヘッド４のワイヤの突出動作を電気的に駆動制御することになるが、パラメータの選択処理を除いた印字処理に関しては従来のものと同様であるので、具体的な説明は省略する。
【００７８】
以上に述べた通り、この実施例では、帳票５が複写伝票、特に、比較的転写枚数が多い複写伝票（強いて言えば４枚以上の紙やカーボン紙を重ねた複写伝票）に対して印字を行う場合には、単票の帳票５への印字のために利用される図３（ａ），図４（ａ）のようなパラメータ設定をモデファイして得た図４（ｂ）のようなパラメータ設定、つまり、単票印字の際と同等の叩打力を保持してワイヤの駆動周波数を下げてワイヤの押し込み時間Ｔを冗長するようにしたパラメータを印字ヘッド駆動回路１１にワイヤ駆動条件としてセットするようにしているので、厚めの複写伝票最下部に位置する紙の印字品位を改善することができる。
【００７９】
また、単票に対して印字を行う場合には、図３（ａ），図４（ａ）に示されるような駆動周波数の高いパラメータ設定をそのまま利用しているので、単票や厚めの複写伝票が混在する使用環境下での印字処理速度の低下を最低限度に抑制することができる。
【００８０】
既に述べた通り、帳票５が通帳である場合には、従来と同様の図３（ｂ）のようなパラメータ設定を適用してワイヤの叩打力を冗長して濃いドットと薄いドットとの混在を防止すること、あるいは、図４（ｂ）のようなパラメータ設定を適用してワイヤの押し込み時間Ｔを冗長することでドット濃度の平滑化を図ることも可能である。
【００８１】
特に、挿入された帳票５の前半部分の厚みと後半部分の厚みを測定し、両者の差分と段差判定値ε１との比較（ステップａ１１参照）、該帳票５の前半部分の厚み若しくは後半部分の厚みと通帳の折り畳み時の厚みの１／２倍量との略一致不一致の比較（ステップａ１２参照）、該帳票５の前半部分の厚み若しくは後半部分の厚みと単票判定値Ｚ４との比較（ステップａ１３参照）を行なうことで、帳票５が単票であるのか複写伝票であるのか通帳であるのかを厳密に識別するようにしているので、帳票５の種別に応じたパラメータを的確に選択して設定することができる。
【００８２】
更に、挿入された帳票５の前半部分の厚みが予め設定された通帳用自明判定値Ｚ１を超える場合つまり帳票５が通帳であることが明らかである場合（ステップａ４参照）と、挿入された帳票５の前半部分の厚みが予め設定された単票用自明判定値Ｚ２に満たない場合つまり帳票５が単票であることが明らかである場合（ステップａ６参照）においては、不要となる帳票５の後半部分の厚み測定（ステップａ１０参照）を行なわないようにしているので、全体としての帳票処理の所要時間を大幅に短縮して処理を高速化することができる。
【００８３】
しかも、帳票５の厚みの測定に際しては、帳票搬送路３内を移動する帳票５によって頻繁に擦られるプラテン７の上面と帳票５および印字ヘッド４の移動によって帳票５に頻繁に擦り付けられるキャリア６の下面との間に帳票５を一定の力で挟み込んでキャリア６とプラテン７の離間距離に基いて帳票５の厚さを測定するようにしているので、プラテン７の上面やキャリア６の下面にゴミや汚れが堆積する可能性は低く（帳票５でゴミや汚れが擦り取られるため）、ゴミや汚れの影響を排除して帳票５の厚さの測定を正確に行なうことができる。
【００８４】
図１１は他の一実施例の帳票プリンタ１’の主要部の機械的な構成について帳票の搬送方向に沿った視点で簡略化して示した正面図である。
この帳票プリンタ１’は、図１〜図１０に示した帳票プリンタ１のプライマリプーリ２２，タイミングベルト２３，セカンダリプーリ２７に代えて歯車２２’，２３’，２７’をプラテン押圧手段１５’の動力伝達経路として利用したもので、他の構成に関しては、図１〜図１０を参照して説明した実施例のものと同様である。
全体的な機能に関しては図１〜図１０を参照して説明した実施例と同様であるが、タイミングベルトのテンション調整などの手間を省略できるため、装置コストを低減できるという効果がある。
【００８５】
図１２は更に他の一実施例の帳票プリンタ１”の主要部の機械的な構成について帳票の搬送方向に沿った視点で簡略化して示した正面図である。
この帳票プリンタ１”は、図１〜図１０に示した帳票プリンタ１のトルクリミッタ２１を省略したもので、セカンダリプーリ２７がカムシャフト１８と一体に固着され、プラテン昇降カム２０は常にセカンダリプーリ２７と一体に回転するようになっている。キャリア６に固設された帳票接触検知センサ４１は、プラテン押圧手段１５”の一部を構成するもので、プラテン７と帳票５とキャリア６との当接、つまり、プラテン７とキャリア６との間に帳票５が挟み込まれたことを検知してプラテン昇降モータＭ３の駆動を即時停止させることで、プラテン押圧手段１５”がプラテン７を帳票５に押し付ける力を実質的に一定とするようになっている。
この実施例では、プラテン昇降モータＭ３はカムシャフト１８の回転をステップ管理する必要がないため、ステッピングモータではなく、ＤＣモータに置き換えることが可能である。
また、トルクリミッタ２１が不要になるため、プラテン昇降モータＭ３の動力は、タイミングベルト２３とカムシャフト１８に固定されたセカンダリプーリ２７でカムシャフト１８に伝達される。この場合の厚さ検知動作は、プラテン昇降モータＭ３を制御してカムシャフト１８を回転させ、プラテン７を鉛直上方に押し上げ、プラテン７とキャリア６の間に帳票５を挟み込んだ時点でキャリア６に実装した帳票接触検知センサ４１が帳票５の上面を検知するように調整しておき、この時点までのカムシャフト１８の回転角度を、カムシャフト１８に固着したスリット付きのディスク３０と回転センサ２９の主要部を構成する光学センサ３１によって検出することによって、帳票５の厚さを検出することができる。
この実施例ではプラテン昇降モータＭ３の制御をステップ管理する必要がなくなるため、制御を簡素化できるという効果がある。
【００８６】
以上、機械的な構成を利用してプラテン７が帳票５をキャリア６に一定の力で押し付けるようにした３つの実施例について説明したが、プラテン昇降モータＭ３として位置ループ，速度ループ，電流ループのフィードバック制御が可能なモータを利用した場合にあっては、電流ループからの出力を増幅する電流増幅回路とプラテン昇降モータＭ３との間にトルクリミット回路を設置してプラテン昇降モータＭ３の駆動トルクを制限することによってもプラテン７を帳票５に一定の力で押し付けるようにすることが可能である。
【００８７】
以上に述べた全ての実施例では、帳票プリンタ１に設けられたプラテン押圧手段１５や厚さ測定手段１６およびマイクロプロセッサ８からなる種別特定手段によって構成される帳票種別判定手段によって帳票５の種別が判定されるので、上位装置として機能するホストコンピュータとは完全に独立して、帳票プリンタ１単体の機能で帳票５の種別を判定して適切な制御パラメータを選択して印字ヘッド４を駆動制御することができ、上位装置として機能するホストコンピュータとの互換性に優れる（上位装置からの媒体種別情報を必要としない）といったメリットがある。
【００８８】
更には、帳票プリンタ１の定期保守時などに、既知の厚さの紙類や樹脂プレートをセットして厚さを検知させ、検知誤差を補正する。これにより、プラテン７とキャリア６の磨耗による厚さ検知誤差を補正できるので、長期に渡って安定した厚さ検知を行うことができるという効果がある。
【００８９】
更に他の実施例として、帳票プリンタの上位装置として機能するホストコンピュータからインターフェイス３９を経由して帳票５の種別を表す媒体種別情報、つまり、帳票５が単票であるのか通帳であるのか複写伝票であるのかの情報、更には、複写伝票である場合の伝票全体の厚さや紙の重ね合わせ枚数等の情報をもらい、帳票５が転写枚数の多い複写伝票であるという情報を受けた場合にのみ、印字ヘッド４の駆動周波数を所定量下げると共に、印字ヘッド４の駆動に関わるパラメータを例えば図４（ｂ）に示されるようなもの変えて印字動作を行なうようにしてもよい。この場合、例えば、１枚７０μｍの３枚構成の総厚２１０μｍの複写伝票に対しては、転写枚数が少ないので、駆動周波数を下げることなく、高速で処理することができる。
これによって装置の処理能力の低下を改善することができるという効果がある。
【図面の簡単な説明】
【００９０】
【図１】本発明を適用した一実施例の帳票プリンタの主要部の機械的な構成について帳票の搬送方向に沿った視点で簡略化して示した正面図である。
【図２】同実施例の帳票プリンタに内蔵されたプリンタ制御装置の構成について簡略化して示したブロック図である。
【図３】印字ヘッドの制御パラメータについて示した概念図で、図３（ａ）は単票を初めとする一般帳票への高速印字に適したパラメータの設定例、また、図３（ｂ）は厚い通帳に適したパラメータの設定例である。
【図４】印字ヘッドの制御パラメータについて示した概念図で、図４（ａ）は単票を初めとする一般帳票への高速印字に適したパラメータの設定例、また、図４（ｂ）は比較的厚めの転写伝票に適したパラメータの設定例である。
【図５】同実施例の帳票プリンタのトルクリミッタの構成を示した断面図である。
【図６】同実施例の帳票プリンタのプラテン押圧手段の作用原理を示した概念図である。
【図７】同実施例の帳票プリンタの回転センサの作用原理を説明する概念図で、図７（ａ）はプラテンが下降限度に退避したときの状態、図７（ｂ）はプラテンとキャリアとの間に厚めの帳票が挟み込まれた状態、図７（ｃ）はプラテンとキャリアとの間に薄めの帳票が挟み込まれた状態について示している。
【図８】同実施例の帳票プリンタにおける印字ヘッド制御部の一部，帳票種別判定手段における厚さ測定手段の一部である回転量・直線距離変換手段および第一測定実行手段と第二測定実行手段種別特定手段ならびに種別特定手段と判定処理高速化手段およびパラメータ選択手段として機能するプリンタ制御装置のマイクロプロセッサの処理動作を具体的に示したフローチャートである。
【図９】同プリンタ制御装置のマイクロプロセッサの処理動作を具体的に示したフローチャートの続きである。
【図１０】帳票の搬送方向と帳票の前半部分および後半部分の関係を示した概念図である。
【図１１】本発明を適用した他の一実施例の帳票プリンタの主要部の機械的な構成について帳票の搬送方向に沿った視点で簡略化して示した正面図である。
【図１２】本発明を適用した更に他の一実施例の帳票プリンタの主要部の機械的な構成について帳票の搬送方向に沿った視点で簡略化して示した正面図である。
【図１３】従来型の帳票処理装置に配備された厚さ検知機構を簡略化して示した作用原理図である。
【図１４】厚い通帳に生じる印字品質の劣化を印字圧力の冗長によって改善しようとした従来型の通帳伝票プリンタの構成の概略を示したブロック図である。
【符号の説明】
【００９１】
１  帳票プリンタ
１’  帳票プリンタ
１”  帳票プリンタ
２  プリンタ制御装置
３  帳票搬送路
４  印字ヘッド
５  帳票
６  キャリア
７  プラテン
８  マイクロプロセッサ（印字ヘッド制御部の一部，回転量・直線距離変換手段の一部，種別特定手段の一部，第一測定実行手段の一部，第二測定実行手段の一部，判定処理高速化手段の一部，パラメータ選択手段の一部）
９  ＲＯＭ（印字ヘッド制御部の一部，回転量・直線距離変換手段の一部，種別特定手段の一部，第一測定実行手段の一部，第二測定実行手段の一部，判定処理高速化手段の一部，パラメータ選択手段の一部）
１０  入出力回路
１１  印字ヘッド駆動回路（印字ヘッド制御部の一部）
１２  不揮発性メモリ（パラメータ記憶手段，回転量・直線距離変換手段の一部，種別特定手段の一部）
１３  ，１４  キャリアガイド
１５  プラテン押圧手段（帳票種別判定手段の一部）
１５’  プラテン押圧手段
１５”  プラテン押圧手段
１６  厚さ測定手段（帳票種別判定手段の一部）
１７  プラテンガイド
１８  カムシャフト（動力伝達系路の一部）
１９  カムフォロア
２０  プラテン昇降カム
２１  トルクリミッタ
２２  プライマリプーリ（動力伝達系路の一部）
２２’  歯車
２３  タイミングベルト（動力伝達系路の一部）
２３’  歯車
２４  外輪（動力伝達系路の一部）
２５  内輪（動力伝達系路の一部）
２６  コイルスプリング（動力伝達系路の一部）
２７  セカンダリプーリ（動力伝達系路の一部）
２７’  歯車
２８  ラジアルベアリング（動力伝達系路の一部）
２９  回転センサ
３０  ディスク（回転センサの一部）
３１  光学センサ（回転センサの一部）
３２  スリット
３３，３４，３５  モータ駆動回路
３６  帳票位置検出センサ
３７  磁気ヘッド
３８  イメージセンサ
３９  インターフェイス
４０  ＲＡＭ（第一測定実行手段の一部，第二測定実行手段の一部）
４１  帳票接触検知センサ
１００  検知用ローラ
１０１  検知信号発生部
１０２  回動部
１０３  アーム
１０４  帳票
１０５  印字ヘッド
１０６  反射センサ
１０７  磁気ヘッド
１０８  透過センサ
１０９  印字コントロール部
１１０  媒体識別部
１１１  主制御部
１１１２  記憶部
Ｘ  帳票の厚さ
Ｍ１  帳票搬送モータ（帳票搬送手段の一部）
Ｍ２  キャリア駆動モータ（キャリアの駆動手段の一部）
Ｍ３  プラテン昇降モータ
Ｚ１  通帳用自明判定値
Ｚ２  単票用自明判定値
Ｚ３  通帳の折り畳み時の厚み
Ｚ４  単票判定値
Ｒ０，Ｒ１  厚さ記憶レジスタ
ε１  段差判定値
ε２  判定許容値
【図１】
2008296392.tif 000003
【図２】
2008296392.tif 000004
【図３】
2008296392.tif 000005
【図４】
2008296392.tif 000006
【図５】
2008296392.tif 000007
【図６】
2008296392.tif 000008
【図７】
2008296392.tif 000009
【図８】
2008296392.tif 000010
【図９】
2008296392.tif 000011
【図１０】
2008296392.tif 000012
【図１１】
2008296392.tif 000013
【図１２】
2008296392.tif 000014
【図１３】
2008296392.tif 000015
【図１４】
2008296392.tif 000016